(57)【要約】【課題】操作部材に直接触れることなく、操作部材をロックできる構成が簡易な遮断機を提供する。【解決手段】ケース１に内蔵された遮断機構を操作するための操作部材２を、ケース１に挿脱自在に挿入されるロック部材３によりオン又はオフの状態にロックできるようにした遮断機であって、ロック部材３は、操作部材２の動作を拘束するために、操作部材２の操作方向に直交する方向に挿入され、そのロック部材３には、その挿入状態を保持するためにケース１に対して係脱自在に係止する係止部材６を設けている。【選択図】  図１
2006318778.tif 000002
【特許請求の範囲】
【請求項１】
ケース（１）に内蔵された遮断機構を操作するための操作部材（２）を、前記ケース（１）に挿脱自在に挿入されるロック部材（３）によりオン又はオフの状態にロックできるようにした遮断機であって、
前記ロック部材（３）は、前記操作部材（２）の動作を拘束するために、前記操作部（２）の操作方向に直交する方向に挿入されることを特徴とする遮断機。
【請求項２】
前記ケース（１）には、前記ロック部材（３）を挿入するための一対の挿入孔（４）（５）が形成され、前記ロック部材（３）は、表裏反転して前記何れかの挿入孔（４）（５）に挿入されることにより、オン又はオフの状態にロック可能であることを特徴とする請求項１に記載の遮断機。
【請求項３】
前記ロック部材（３）が、その挿入状態を保持するために前記ケース（１）に対して係脱自在に係止する係止部材（６）を備えることを特徴とする請求項１又は２に記載の遮断機。
【請求項４】
前記係止部材（６）は、ロック部材本体（７）の挿入側端縁にスライド自在に設けられることを特徴とする請求項１乃至３の何れかに記載の遮断機。
【発明の詳細な説明】
【技術分野】
【０００１】
本発明は、電気回路を保護するために設けられる回路遮断機（以下、遮断機という）に関する。
【背景技術】
【０００２】
遮断機では、ハンドル（操作部材）が不用意に操作されることによるトラブルの発生を未然に防止するために、遮断機のオン又はオフの状態をロックできるように、例えば、ハンドルに固定部材を被せるように取り付けることでハンドルの動作を拘束するような方法が提案されていた（例えば、特許文献１参照）。この例では、固定部材は、ハンドル被装枠部と係止片からなり、そのハンドル被装枠部をハンドルに装着して、係止片をカバーの開口孔の端縁に当接させることによってハンドルの転動方向の動きを規制するように構成されている。
【０００３】
【特許文献１】特開２００２−５６７６５号公報
【発明の開示】
【発明が解決しようとする課題】
【０００４】
しかし、上述のように、ロック部材としての固定部材をハンドルに取り付ける場合、ハンドルに触れなければならないため、その取付方法（取付構成）に問題があった。安全上の見地からは、ハンドルに直接触れることなくハンドルをロック状態にできることが望ましいのは言うまでもない。また、その構成が簡易でトラブルが発生しにくいことも望まれる。
【０００５】
本発明は、このような実情に鑑みてなされ、操作部材に直接触れることなく、操作部材をロックできる構成が簡易な遮断機を提供することを目的とする。
【課題を解決するための手段】
【０００６】
（１）本発明の遮断機は、ケース１に内蔵された遮断機構を操作するための操作部材２を、前記ケース１に挿脱自在に挿入されるロック部材３によりオン又はオフの状態にロックできるようにした遮断機であって、
前記ロック部材３は、前記操作部材２の動作を拘束するために、前記操作部材２の操作方向に直交する方向に挿入されることを特徴とする。
【０００７】
このような構成によれば、ロック部材３が操作部材２の操作方向に直交する方向に挿入されるので、操作部材２に直接触れることなく、操作部材２の動作を効果的に拘束することができ、操作部材２のオン又はオフの状態をロックしやすくなる。
【０００８】
（２）前記ケース１には、前記ロック部材３を挿入するための一対の挿入孔４，５が形成され、前記ロック部材３は、表裏反転して前記何れかの挿入孔４，５に挿入されることにより、オン又はオフの状態にロック可能であるようにしてもよい。このようにすれば、単一のロック部材３によってオン又はオフの状態にロックすることができるため、利便性が向上する。
【０００９】
（３）前記ロック部材３が、その挿入状態を保持するために前記ケース１に対して係脱自在に係止する係止部材６を備えてもよい。このようにすれば、ロック部材３の挿入状態を確実に保持することができる。
【００１０】
（４）前記係止部材６は、ロック部材本体７の挿入側端縁にスライド自在に設けられてもよい。このようにすれば、ロック部材３をケース１に挿入した後、係止部材６をスライドさせることで、ロック部材３の挿入端側をケース１に対して係止させることができる。
【発明の効果】
【００１１】
本発明の遮断機は、ロック部材が操作部材の操作方向に直交する方向に挿入されるので、操作部材に直接触れることなく、操作部材の動作を効果的に拘束することができ、操作部材のオン又はオフの状態をロックしやすくなり、構成を簡素化することができる。
【発明を実施するための最良の形態】
【００１２】
以下に、本発明の実施の形態に係る遮断機について図面を参照しつつ詳細に説明する。
図１（ａ）はオン状態の遮断機の正面図、（ｂ）は側面図、（ｃ）はオン状態でロックされた遮断機の正面図である。図２（ａ）はオフ状態の遮断機の正面図、（ｂ）は側面図、（ｃ）はオフ状態でロックされた遮断機の正面図である。図３（ａ）〜（ｃ）はロック部材の構成説明図、図４は遮断機の分解対応図である。
【００１３】
これらの図にて、符号１はケース、２は、ケース１に内蔵された遮断機構（図示省略）をオン又はオフに操作するための操作部材、３は、操作部材２をロックするためにケース１に挿脱自在に挿入されるロック部材、４，５は、ロック部材３を挿入するための挿入孔、６は、ロック部材３の挿入状態を保持するためにケース１に対して係脱自在に係止する係止部材で、ロック部材本体７の挿入側端縁にスライド自在に設けられている。
【００１４】
ケース１は、例えば、絶縁性樹脂材からなり、そのケース本体１ａの縦方向の両端に端子部１ｂ，１ｂを有し、ケース本体１ａの中央部には、操作部材２をオン・オフ両側に回動自在となるように支持する支持座部１ｃが設けられ、その支持座部１ｃの上面には、ロック部材３を挿入するための挿入孔４，５を側面に有するロック枠板部材１ｄがビスにより固定されている。なお、本実施の形態では、ロック枠板部材１ｄはケース本体１ａ及び支持座部１ｃとは別体に形成される（図４参照）が、これらは一体に形成されてもよい。
【００１５】
ロック部材本体７の挿入側端縁（横矢印で示す）にスライド自在に設けられる係止部材６は、図３（ｂ）に示すように、先尖り状に形成された係止爪を有する一対の係止アーム６ａ，６ａと係止凸部６ｂを備える一方、ロック部材本体７の挿入側端縁には、係止アーム６ａ，６ａの係止爪を係止させるための溝状被係止部７ａ，７ａと、係止凸部６ｂを所定の間隔だけスライド自在となるように遊嵌させるスライド凹部７ｂが形成され、係止部材６を、両外側の係止位置にスライドさせることができるように構成されている。一方、ロック部材本体７の挿入側とは反対側端部（図３（ａ）の右下部分）には、係止部材６と対応して挿入孔４，５の側縁に係止する係止凸部７ｃが形成されている。
【００１６】
上述の係止部材６は、ロック部材本体７とは別体に形成されるが、何れもケース１と同様に弾発性のある絶縁性樹脂材で形成されるため、係止部材６をロック部材本体７の端部に対応させて内側に強く押し込めば、係止アーム６ａ，６ａが一旦外方に撓み変形した後内側に戻り変形し、図３（ｂ）のように、溝状被係止部７ａ，７ａに対して抜け止め状態に係止する。この状態では、上述のように、係止部材６をロック部材本体７に対して、図３（ａ）の実線で示す中立位置から所定距離だけ離間した両外側の係止位置（二点鎖線で示す）にスライドさせることができる。
【００１７】
以上のように構成される遮断機では、そのオン状態をロックする際には、図１（ａ）に示すように、ロック部材３の挿入側を一方の挿入孔５に挿入し、図１（ｃ）に示すように、他方の挿入孔５から突出させた係止部材６を下方に下げると、その係止部材６とロック部材本体７の係止凸部７ｃが、ロック枠板部材１ｄの両側に係止されるため係止部材６が抜け止め状態となり、その係止部材６によって操作部材２のオフ方向への移動が阻止されるため、オン状態が安定にロックされることとなる。
【００１８】
他方、オフの状態をロックするには、図２（ａ）に示すように、ロック部材３の挿入側を一方の挿入孔４に挿入し、図２（ｃ）に示すように、他方の挿入孔４から突出させた係止部材６を下方に下げると、その係止部材６とロック部材本体７の係止凸部７ｃが、ロック枠板部材１ｄの両側に係止されるため係止部材６が抜け止め状態となり、その係止部材６によって操作部材２のオン方向への移動が阻止されるため、オフ状態が安定にロックされることとなる。
【００１９】
以上のように、ロック部材３が、操作部材２の動作を拘束するために、操作部材２の操作方向に直交する方向に挿入されるため、操作部材２に直接触れることなく操作部材２の動作を効果的に拘束することができ、操作部材２のオン又はオフの状態を確実にロックすることができる。また、その構成を簡素化することができる。そして、ケース１には、ロック部材３を挿入するための一対の挿入孔４，５を形成し、ロック部材３を、表裏反転して何れかの挿入孔４，５に挿入することにより、単一のロック部材３によってオン又はオフの状態にロックすることができるため、部品点数を少なくして、利便性を向上させることができる。なお、本発明は、実施の形態に限定されることなく、発明の要旨を逸脱しない限りにおいて、必要に応じて、適宜、設計変更や改良等は自由である。
【図面の簡単な説明】
【００２０】
【図１】（ａ）はオン状態の遮断機とロック部材の対応関係を示す正面図、（ｂ）は側面図、（ｃ）はオン状態でロックされた遮断機の正面図である。
【図２】（ａ）はオフ状態の遮断機とロック部材の対応関係を示す正面図、（ｂ）は側面図、（ｃ）はオフ状態でロックされた遮断機の正面図である。
【図３】（ａ）ロック部材の正面図、（ｂ）は（ａ）のＢ−Ｂ線矢視断面図、（ｃ）は（ｂ）のＣ−Ｃ線矢視断面図である。
【図４】は遮断機の分解対応図である。
【符号の説明】
【００２１】
１…ケース、２…操作部材、３…ロック部材、４，５…挿入孔、６…係止部材、７…ロック部材本体
【図１】
2006318778.tif 000003
【図２】
2006318778.tif 000004
【図３】
2006318778.tif 000005
【図４】
2006318778.tif 000006